(57)【特許請求の範囲】
【請求項１】
画像形成装置及び携帯端末装置を含むシステムであって、
前記携帯端末装置は、
近距離無線通信を行なう通信手段と、
アプリケーションプログラムを実行する実行手段とを含み、
前記画像形成装置は、
データを記憶する記憶手段を有し且つ近距離無線通信を行なう無線通信部と、
前記無線通信部を制御する制御手段とを含み、
前記制御手段は、前記記憶手段に、前記画像形成装置が実行可能な機能を特定するための所定データを記憶させ、
前記通信手段は、近距離無線通信により、前記記憶手段に書込むデータを前記無線通信部に送信する前に前記所定データを受信し、
前記実行手段は、前記通信手段が近距離無線通信により、前記無線通信部から前記所定データを受信したことを受けて、前記所定データにしたがって、前記画像形成装置に実行させる機能に関する設定を入力するための所定のアプリケーションプログラムを実行し、
前記携帯端末装置は、
画像を表示する表示手段と、
前記表示手段により表示された画像に対する操作を受付ける入力手段とをさらに含み、
前記画像形成装置が省電力状態にあるときに、前記携帯端末装置が前記無線通信部に近接したことを受けて、前記無線通信部は、所定の信号を前記制御手段に出力し、
前記制御手段が、前記所定の信号が入力されたことを受けて、前記画像形成装置を省電力状態から待機状態に復帰させている間に、
前記通信手段は、近距離無線通信により、前記無線通信部から前記所定データを受信し、
前記実行手段は、前記所定のアプリケーションプログラムを実行することにより、前記表示手段に、前記所定データに基づき、前記画像形成装置に実行させる機能に関する設定を入力するための操作画面を表示させる、システム。
【請求項２】
前記入力手段は、前記操作画面に対する操作を検出することにより、前記画像形成装置に実行させる機能に関する設定を受付け、
前記通信手段は、前記入力手段により受付けられた前記設定を特定するための設定情報を、近距離無線通信により前記無線通信部に送信し、
前記制御手段は、前記無線通信部を介して受信した前記設定情報により特定される機能を、前記画像形成装置に実行させ、当該機能の実行が完了したことを受けて、前記記憶手段に前記所定データを記憶させる、請求項１に記載のシステム。
【請求項３】
前記画像形成装置は、前記無線通信部からデータを取得し、取得した当該データが有効であるか否かを判定する判定手段をさらに含み、
前記制御手段は、前記判定手段により、前記無線通信部から取得したデータが有効でないと判定されたことを受けて、前記記憶手段に前記所定データを記憶させる、請求項１又は２に記載のシステム。
【請求項４】
データを記憶する記憶手段を有し且つ近距離無線通信を行なう無線通信部と、
前記無線通信部を制御する制御手段とを含む画像形成装置であって、
前記制御手段は、前記記憶手段に、前記画像形成装置が実行可能な機能を特定するための所定データを記憶させ、
前記所定データは、
近距離無線通信機能を有する携帯端末装置から前記無線通信部が近距離無線通信により受信したデータにより上書きされる前に、前記無線通信部から前記携帯端末装置に、近距離無線通信により送信され、
前記携帯端末装置が、前記画像形成装置に実行させる機能に関する設定を入力するための所定のアプリケーションプログラムを実行するために使用され、
前記画像形成装置が省電力状態にあるときに、前記携帯端末装置が前記無線通信部に近接したことを受けて、前記無線通信部は、所定の信号を前記制御手段に出力し、
前記制御手段が、前記所定の信号が入力されたことを受けて、前記画像形成装置を省電力状態から待機状態に復帰させている間に、前記無線通信部は、近距離無線通信により、前記携帯端末装置からの要求に応じて前記所定データを前記携帯端末装置に送信し、
前記所定データは、前記携帯端末装置により前記所定のアプリケーションプログラムが実行されたときに表示される、前記画像形成装置に実行させる機能に関する情報を入力するための操作画面を生成するために使用される、画像形成装置。
【請求項５】
前記無線通信部は、前記画像形成装置に実行させる機能に関する設定情報を、近距離無線通信により前記携帯端末装置から受信し、
前記制御手段は、前記無線通信部により受信された前記設定情報により特定される機能を、前記画像形成装置に実行させ、当該機能の実行が完了したことを受けて、前記記憶手段に前記所定データを記憶させる、請求項４に記載の画像形成装置。
【請求項６】
前記画像形成装置は、前記無線通信部からデータを取得し、取得した当該データが有効であるか否かを判定する判定手段をさらに含み、
前記制御手段は、前記判定手段により、前記無線通信部から取得したデータが有効でないと判定されたことを受けて、前記記憶手段に前記所定データを記憶させる、請求項４又は５に記載の画像形成装置。
【発明の詳細な説明】
【技術分野】
【０００１】
本発明は、ユーザの待ち時間を短縮することができる画像形成装置に関し、特に、画像形成装置が有する機能に応じて、近距離無線通信を介して携帯端末装置により、実行させたい機能の設定を速やかに開始することができる画像形成装置及びそれを含むシステムに関する。
【背景技術】
【０００２】
電子機器である画像処理装置の１種として、多くの事業所（会社、事務所等）に、記録紙に画像を形成する画像形成装置（代表的にはコピー機）が導入されている。このような画像形成装置の１種である複合機（ＭＦＰ（ＭｕｌｔｉＦｕｎｃｔｉｏｎ  Ｐｅｒｉｐｈｅｒａｌ））は、コピーモード、ファクシミリモード（以下、ファクシミリをＦＡＸともいう）、ネットワーク対応のプリンタモード、電子メールモード、及びスキャナモードのように、複数の基本的な動作モードを備える。
【０００３】
近年、省エネルギーが提唱されており、オフィス内で常時通電されて使用される機器は、省電力状態（以下、省エネ状態ともいう）に遷移する機能を有するものが増えている。画像形成装置においては、使用状況に応じて、通常の待機状態（指示された機能（コピー等）を直ちに実行可能な状態）から消費電力の少ない省エネ状態へ移行する機能を有する。画像形成装置は、消費電力が１Ｗ以下の省エネ状態を実現することを要求されることもある。
【０００４】
また、近年、携帯端末装置（以下、携帯端末ともいう）は、近距離無線通信（ＮＦＣ：Ｎｅａｒ  Ｆｉｅｌｄ  Ｃｏｍｍｕｎｉｃａｔｉｏｎ）を行なうためのＮＦＣリーダ／ライタを備えており、それに対応してＮＦＣタグを備えた画像形成装置が知られている。そのような画像形成装置は、省エネ状態であるときに、携帯端末（ＮＦＣリーダ／ライタ）が接近すると、ＮＦＣ通信により、省エネ状態から待機状態に復帰する。
【０００５】
画像形成装置と携帯端末との連携に関しては、種々提案が成されている。例えば、下記特許文献１には、省電力状態から復帰する際に、利用者が所望する機能を選択的に復帰させることができる画像形成装置が開示されている。この画像形成装置は、ＩＣカードと電波（電磁波）により無線通信を行って、データの送受信を行うカードリーダを備える。ＩＣカードがかざされたことを検出するために、カードリーダは電磁波を一定周期で発信する。画像形成装置が省電力状態であるときに、ＩＣカードがカードリーダにかざされると、かざされる状態（具体的には、かざされている時間）に応じて、省電力状態から復帰させる機能を選択する。具体的には、かざされている時間が５秒未満であれば、スキャン機能及びＦＡＸ機能を復帰させ、５秒以上７秒未満であれば、プリンタ機能を復帰させ、７秒以上であれば、コピー機能を復帰させる。
【０００６】
下記特許文献２には、複数種類の画像処理（スキャン処理、ファックス処理、及び印刷処理等）を実行するプリンタ、スキャナ及びモデム等、携帯電話と通信するためのＮＦＣタグ、並びに、無線ＬＡＮ通信を行なう無線送受信部を備えた画像処理装置が開示されている。この画像処理装置は、実行する機能（画像処理）の選択を受付け、携帯電話とのＮＦＣ通信の確立を開始した時点において、選択が受付けられている画像処理の種類を示す選択機能情報を、ＮＦＣ通信により携帯電話へ送信する。画像処理装置は、携帯電話から、選択機能情報に対応する画像処理の実行指示情報を、無線送受信部を介して受信し、受信した実行指示情報に基づいた画像処理を実行する。
【先行技術文献】
【特許文献】
【０００７】
【特許文献１】特開２０１０−２８６１３号公報
【特許文献２】特開２０１３−２１４８０６号公報
【発明の概要】
【発明が解決しようとする課題】
【０００８】
携帯端末により、ＮＦＣ通信を介して、ＭＦＰを省エネ状態から復帰させ、ＭＦＰに条件を設定して所望の機能を実行させる場合、携帯端末には、ＭＦＰの機種及び構成（オプション機能の有無等）に関する情報が必要である。例えば、ＭＦＰがカラー印刷可能であるか否か、拡張機能（ステープル処理、パンチ処理等）を有しているか否かによって、設定可能な項目が異なり、携帯端末は異なる設定画面を表示することが必要である。
【０００９】
これを実現するためには、図１に示すような、処理のシーケンスが考えられる。ここでは、携帯端末はＮＦＣリーダ／ライタ（以下、Ｒ／Ｗともいう）を備え、ＭＦＰは、ＮＦＣタグ部を備えているとする。ＮＦＣタグ部とＭＦＰ本体とは、所定の通信仕様（例えばＩ２Ｃ）によりデータを送受信する。
【００１０】
図１において、携帯端末、ＮＦＣタグ部、及びＭＦＰ本体における処理を横方向に並列し、縦方向に時系列で示している。即ち、左端の縦列のＰ８０、Ｐ８３、Ｐ８５、Ｐ９０、Ｐ９２及びＰ９３は、携帯端末の処理を示している。中央の縦列のＰ８１、Ｐ８４、Ｐ８７、Ｐ８９、Ｐ９１、Ｐ９４及びＰ９６は、ＮＦＣタグ部の処理を示している。右端の縦列のＰ８２、Ｐ８６、Ｐ８８、Ｐ９５及びＰ９７は、ＭＦＰ本体（以下、単にＭＦＰともいう）の処理を示している。携帯端末、ＮＦＣタグ部、及びＭＦＰの処理の関連性は、左右方向の矢印で示されている。
【００１１】
ユーザにより操作された携帯端末は、所定のアプリケーションプログラム（以下、アプリともいう）を起動し、Ｒ／ＷによりＮＦＣ通信を開始する（Ｐ８０）。このとき、ユーザにより携帯端末は、ＮＦＣタグ部にかざされる（ＮＦＣタグ部に近接する）。
【００１２】
ＮＦＣタグ部は、Ｒ／Ｗにより発生した電磁波による無線電力により起動する（Ｐ８１）。即ち、電磁波によりＮＦＣタグ部のコイルに起電力が発生し、それにより、ＮＦＣタグ部のＩＣが動作可能になり、ＩＣにより、ＭＦＰに割込み要求ＩＲＱが出力される。例えば、通常ハイレベルに設定されている所定のラインを、ローレベルに設定する。
【００１３】
ＭＦＰは、割込み要求ＩＲＱを検出すると、省エネ状態からの復帰処理を開始する（Ｐ８２）。
【００１４】
ＭＦＰが省エネ状態から復帰中に、携帯端末が操作され、ＭＦＰの操作要求が入力されると、携帯端末から、その旨を表すデータＤ９０及び書込みコマンドＷＲＩＴＥをＮＦＣタグ部に送信する（Ｐ８３）。
【００１５】
ＮＦＣタグ部は、受信したデータＤ９０を、内部のメモリに書込む（記憶する）（Ｐ８４）。通常、ＮＦＣタグ部のメモリ容量は小さいので、上書きされる。
【００１６】
携帯端末は、ＮＦＣタグ部に対してポーリング処理を実行する（Ｐ８５）。図１には明示していないが、携帯端末がＮＦＣタグ部にコマンドＲＥＡＤを送信し、これに対して、ＮＦＣタグ部がメモリのデータを送信する処理が、携帯端末が、送信したデータＤ９０以外のデータを受信するまで繰返される。
【００１７】
ＭＦＰは、省エネ状態から待機状態に復帰すると、ＮＦＣタグ部に読出しコマンドＲＥＡＤを送信する（Ｐ８６）。ＮＦＣタグ部は、読出しコマンドＲＥＡＤに対して、メモリのデータＤ９０を送信する（Ｐ８７）。その後、ＭＦＰは、受信したデータＤ９０を解析する。
【００１８】
解析の結果、ＭＦＰの操作要求であると判定され、ＭＦＰは起動用データ（携帯端末がＭＦＰの設定可能な機能を特定するための情報）であるデータＤ９１、及び書込みコマンドＷＲＩＴＥをＮＦＣタグ部に送信する（Ｐ８８）。
【００１９】
ＮＦＣ部は、受信したデータＤ９１をメモリに書込む（Ｐ８９）。
【００２０】
携帯端末は、上記したようにポーリング処理により、ＮＦＣタグ部に読出しコマンドＲＥＡＤを送信する（Ｐ９０）。これに対して、ＮＦＣタグ部は、メモリのデータＤ９１を送信する（Ｐ９１）。その結果、携帯端末は、データＤ９０と異なるデータＤ９１（起動用データ）を受信し、受信したデータＤ９１を解析する。
【００２１】
携帯端末は、解析結果に応じた操作画面を表示し、ユーザの操作を待受ける（Ｐ９２）。表示される操作画面は、受信した起動用データにより特定されたＭＦＰに関して設定可能な機能を設定するための画面である。
【００２２】
ユーザにより操作され、設定が確定されると、携帯端末は、決定された設定に対応するデータＤ９２、及び書込みコマンドＷＲＩＴＥをＮＦＣタグ部に送信する（Ｐ９３）。
【００２３】
ＮＦＣタグ部は、受信したデータＤ９２をメモリに書込む（Ｐ９４）。
【００２４】
ＭＦＰは、ＮＦＣタグ部に読出しコマンドＲＥＡＤを送信する（Ｐ９５）。ＮＦＣタグ部は、読出しコマンドＲＥＡＤに対して、メモリのデータＤ９２を送信する（Ｐ９６）。その後、ＭＦＰは、受信したデータＤ９２を解析する。
【００２５】
解析の結果、ＭＦＰは、実行すべき機能及びその条件を特定し、指示された機能を指定された条件で実行する（Ｐ９７）。
【００２６】
このようにして、ユーザは、携帯端末から条件を設定して、ＭＦＰに所定の機能を実行させることができる。このとき、ユーザは、携帯端末に、ＭＦＰを設定するための操作画面が表示されるまで（即ち、携帯端末が、ＮＦＣタグ部から起動用データを読出すまでのポーリング期間（Ｐ８５参照））、ＭＦＰの設定を行なうことができない。即ち、ＭＦＰが省エネ状態から待機状態に復帰するまでの待ち時間よりも長い時間（Ｐ８８〜Ｐ９１）、ユーザは、携帯端末をＮＦＣタグ部にかざしたまま、待たなければならない問題がある。
【００２７】
画像形成装置が待機状態にあったとしても、携帯端末をＮＦＣタグ部にかざしたままの待ち時間（省エネ状態からの復帰時間以外）は、同様に発生する。公知のＮＦＣ通信用のタグモジュールは通信速度が遅いので（例えば、１０６ｋｂｐｓ、２１２ｋｂｐｓ、又は４２４ｋｂｐｓ）、ユーザは待ち時間が長い印象を受ける。
【００２８】
この問題は、特許文献１及び２の何れによっても解決することはできない。
【００２９】
したがって、本発明は、近距離無線通信を介して携帯端末装置により、画像形成装置が有する機能に応じて、実行させたい機能の設定を速やかに開始することができ、ユーザの待ち時間を短縮することができる画像形成装置及びそれを含むシステムを提供することを目的とする。
【課題を解決するための手段】
【００３０】
本発明の第１の局面に係るシステムは、画像形成装置及び携帯端末装置を含むシステムである。携帯端末装置は、近距離無線通信を行なう通信部と、アプリケーションプログラムを実行する実行部とを含む。画像形成装置は、データを記憶する記憶部を有し且つ近距離無線通信を行なう無線通信部と、無線通信部を制御する制御部とを含む。制御部は、記憶部に、画像形成装置が実行可能な機能を特定するための所定データを記憶させる。通信部は、近距離無線通信により、記憶部に書込むデータを無線通信部に送信する前に所定データを受信する。実行部は、通信部が近距離無線通信により、無線通信部から所定データを受信したことを受けて、所定データにしたがって、画像形成装置に実行させる機能に関する設定を入力するための所定のアプリケーションプログラムを実行する。
【００３１】
これにより、ユーザは、携帯端末装置を操作し、画像形成装置の無線通信部に近づけることより、画像形成装置の有する機能に応じて、実行させたい機能の設定を速やかに開始することができ、携帯端末装置を無線通信部にかざしたままの待ち時間を短縮することができる。
【００３２】
好ましくは、携帯端末装置は、画像を表示する表示部と、表示部により表示された画像に対する操作を受付ける入力部とをさらに含む。画像形成装置が省電力状態にあるときに、携帯端末装置が無線通信部に近接したことを受けて、無線通信部は、所定の信号を制御部に出力する。制御部が、所定の信号が入力されたことを受けて、画像形成装置を省電力状態から待機状態に復帰させている間に、通信部は、近距離無線通信により、無線通信部から所定データを取得し、実行部は、所定のアプリケーションプログラムを実行することにより、表示部に、所定データに基づき、画像形成装置に実行させる機能に関する情報を入力するための操作画面を表示させる。
【００３３】
これにより、ユーザは、携帯端末装置により、画像形成装置を省電力状態から復帰させることができ、復帰処理中に、画像形成装置に実行させたい機能に関する設定を行なうことができる。よって、ユーザの待ち時間を短縮することができる。
【００３４】
より好ましくは、入力部は、操作画面に対する操作を検出することにより、画像形成装置に実行させる機能に関する設定を受付ける。通信部は、入力部により受付けられた設定を特定するための設定情報を、近距離無線通信により無線通信部に送信する。制御部は、無線通信部を介して受信した設定情報により特定される機能を、画像形成装置に実行させ、当該機能の実行が完了したことを受けて、記憶部に所定データを記憶させる。
【００３５】
これにより、画像形成装置の無線通信部の記憶部にデータが上書き記憶される場合にも、ユーザは、携帯端末装置により、画像形成装置を省電力状態から復帰させることができ、復帰処理中に、画像形成装置に実行させたい機能に関する設定を行なうことができる。よって、ユーザの待ち時間を短縮することができる。
【００３６】
さらに好ましくは、画像形成装置は、無線通信部からデータを取得し、取得した当該データが有効であるか否かを判定する判定部をさらに含む。制御部は、判定部により、無線通信部から取得したデータが有効でないと判定されたことを受けて、記憶部に所定データを記憶させる。
【００３７】
これにより、画像形成装置の無線通信部の記憶部に有効でないデータが記憶されていても、ユーザは、携帯端末装置により、画像形成装置を省電力状態から復帰させることができ、復帰処理中に、画像形成装置に実行させたい機能に関する設定を行なうことができる。よって、ユーザの待ち時間を短縮することができる。
【００３８】
本発明の第２の局面に係る画像形成装置は、データを記憶する記憶部を有し且つ近距離無線通信を行なう無線通信部と、無線通信部を制御する制御部とを含む。制御部は、記憶部に、画像形成装置が実行可能な機能を特定するための所定データを記憶させる。所定データは、近距離無線通信機能を有する携帯端末装置から無線通信部が近距離無線通信により受信したデータにより上書きされる前に、無線通信部から携帯端末装置に、近距離無線通信により送信され、携帯端末装置が、画像形成装置に実行させる機能に関する設定を入力するための所定のアプリケーションプログラムを実行するために使用される。
【００３９】
これにより、ユーザは、携帯端末装置を操作し、画像形成装置の無線通信部に近づけることより、画像形成装置の有する機能に応じて、実行させたい機能の設定を速やかに開始することができ、携帯端末装置を無線通信部にかざしたままの待ち時間を短縮することができる。
【００４０】
好ましくは、画像形成装置が省電力状態にあるときに、携帯端末装置が無線通信部に近接したことを受けて、無線通信部は、所定の信号を制御部に出力する。制御部が、所定の信号が入力されたことを受けて、画像形成装置を省電力状態から待機状態に復帰させている間に、無線通信部は、近距離無線通信により、携帯端末装置からの要求に応じて所定データを携帯端末装置に送信する。所定データは、携帯端末装置により所定のアプリケーションプログラムが実行されたときに表示される、画像形成装置に実行させる機能に関する情報を入力するための操作画面を生成するために使用される。
【００４１】
これにより、ユーザは、携帯端末装置により、画像形成装置を省電力状態から復帰させることができ、復帰処理中に、画像形成装置に実行させたい機能に関する設定を行なうことができる。よって、ユーザの待ち時間を短縮することができる。
【００４２】
より好ましくは、無線通信部は、画像形成装置に実行させる機能に関する設定情報を、近距離無線通信により携帯端末装置から受信する。制御部は、無線通信部により受信された設定情報により特定される機能を、画像形成装置に実行させ、当該機能の実行が完了したことを受けて、記憶部に所定データを記憶させる。
【００４３】
これにより、画像形成装置の無線通信部の記憶部にデータが上書き記憶される場合にも、ユーザは、携帯端末装置により、画像形成装置を省電力状態から復帰させることができ、復帰処理中に、画像形成装置に実行させたい機能に関する設定を行なうことができる。よって、ユーザの待ち時間を短縮することができる。
【００４４】
さらに好ましくは、画像形成装置は、無線通信部からデータを取得し、取得した当該データが有効であるか否かを判定する判定部をさらに含む。制御部は、判定部により、無線通信部から取得したデータが有効でないと判定されたことを受けて、記憶部に所定データを記憶させる。
【００４５】
これにより、画像形成装置の無線通信部の記憶部に有効でないデータが記憶されていても、ユーザは、携帯端末装置により、画像形成装置を省電力状態から復帰させることができ、復帰処理中に、画像形成装置に実行させたい機能に関する設定を行なうことができる。よって、ユーザの待ち時間を短縮することができる。
【発明の効果】
【００４６】
本発明によれば、ユーザは、携帯端末装置を操作し、画像形成装置の無線通信部に近づけることより、画像形成装置の有する機能に応じて、実行させたい機能の設定を速やかに開始することができ、携帯端末装置を無線通信部にかざしたままの待ち時間を短縮することができる。
【００４７】
また、ユーザは、携帯端末装置により、画像形成装置を省電力状態から復帰させることができ、復帰処理中に、画像形成装置に実行させたい機能に関する設定を行なうことができる。よって、ユーザの待ち時間を短縮することができる。
【図面の簡単な説明】
【００４８】
【図１】従来の携帯端末によるＭＦＰの操作を示すシーケンス図である。
【図２】本発明の第１の実施の形態に係る画像形成装置の外観を示す斜視図である。
【図３】図２に示した画像形成装置の構成を示すブロック図である。
【図４】携帯端末の構成及び画像形成装置のＮＦＣタグ部の構成を示すブロック図である。
【図５】携帯端末による画像形成装置の操作を示すシーケンス図である。
【図６】携帯端末により実行されるコンピュータプログラムの制御構造を示すフローチャートである。
【図７】画像形成装置を操作するための画面が表示された携帯端末を示す正面図である。
【図８】ＮＦＣタグ部により実行されるコンピュータプログラムの制御構造を示すフローチャートである。
【図９】画像形成装置により実行されるコンピュータプログラムの制御構造を示すフローチャートである。
【図１０】本発明の第２の実施の形態において携帯端末により実行されるコンピュータプログラムの制御構造を示すフローチャートである。
【図１１】画像形成装置にメンテナンスを実行させる場合の処理を示すシーケンス図である。
【図１２】本発明の第３の実施の形態において携帯端末により実行されるコンピュータプログラムの制御構造を示すフローチャートである。
【図１３】本発明の第３の実施の形態において画像形成装置により実行されるコンピュータプログラムの制御構造を示すフローチャートである。
【発明を実施するための形態】
【００４９】
以下の実施の形態では、同一の部品には同一の参照番号を付してある。それらの名称及び機能も同一である。したがって、それらについての詳細な説明は繰返さない。
【００５０】
（第１の実施の形態）
第１の実施の形態に係るシステムは、画像形成装置及び携帯端末を含む。画像形成装置は、コピー機能、ＦＡＸ機能、プリンタ機能、電子メール機能、及びスキャナ機能を有するＭＦＰである。携帯端末は、例えば、スマートフォンである。携帯端末は、携帯電話、タブレット装置、又は携帯型コンピュータ等であってもよい。
【００５１】
図２を参照して、本実施の形態に係る画像形成装置１００は、原稿読取部１１０、画像形成部１２０、操作部１３０、給紙部１６０、手差し給紙トレイ１６２、及び排紙処理部１６４を備えている。操作部１３０は、タッチパネルディスプレイ１３２及び操作キー部１３４を備えている。
【００５２】
タッチパネルディスプレイ１３２は、液晶パネル等で構成された表示パネルと、表示パネルの上に配置され、タッチされた位置を検出するタッチパネルとを含む。操作キー部１３４には、図示しないいくつかの機能ボタンが配置される。操作キー部１３４には、テンキーが配置される場合もある。
【００５３】
操作部１３０内には、ＮＦＣタグ部１４０が配置され、外部機器とＮＦＣによる無線通信を行なう。ＮＦＣタグ部１４０付近の操作部１３０の表面には、外部機器を近づける目標を示すために所定のマーク（図示せず）が配置されている。
【００５４】
図３を参照して、画像形成装置１００は、画像形成装置１００全体を制御する制御部（以下、ＣＰＵという）１０２と、コンピュータプログラム（以下、単にプログラムともいう）等を記憶するためのＲＯＭ（Ｒｅａｄ  Ｏｎｌｙ  Ｍｅｍｏｒｙ）１０４と、揮発性の記憶装置であるＲＡＭ（Ｒａｎｄｏｍ  Ａｃｃｅｓｓ  Ｍｅｍｏｒｙ）１０６と、通電が遮断された場合にもデータを保持する不揮発性記憶装置であるＨＤＤ（Ｈａｒｄ  Ｄｉｓｋ  Ｄｒｉｖｅ）１０８とを備えている。ＲＯＭ１０４には、画像形成装置１００の動作を制御するのに必要なプログラム及びデータが記憶されている。
【００５５】
画像形成装置１００はさらに、画像処理部１２２、画面生成部１２４、ネットワークＩ／Ｆ１１２、ＦＡＸ通信部１１４及びバス１１６を備えている。ＣＰＵ１０２、ＲＯＭ１０４、ＲＡＭ１０６、ＨＤＤ１０８、ネットワークＩ／Ｆ１１２、ＦＡＸ通信部１１４、原稿読取部１１０、画像形成部１２０、画像処理部１２２、画面生成部１２４、及び操作部１３０は、バス１１６に接続されている。各部間のデータ（制御情報を含む）交換は、バス１１６を介して行なわれる。ＣＰＵ１０２は、バス１１６を介してＲＯＭ１０４からプログラムをＲＡＭ１０６上に読出して、ＲＡＭ１０６の一部を作業領域として使用してプログラムを実行する。即ち、ＣＰＵ１０２は、ＲＯＭ１０４に格納されているプログラムにしたがって画像形成装置１００を構成する各部の制御を行ない、画像形成装置１００の各機能を実現する。
【００５６】
ネットワークＩ／Ｆ１１２は、外部のネットワーク１８０に接続され、画像形成装置１００がネットワーク１８０を介して外部装置と通信するためのインターフェイスである。ネットワークＩ／Ｆ１１２は、例えばＮＩＣ（Ｎｅｔｗｏｒｋ  Ｉｎｔｅｒｆａｃｅ  Ｃａｒｄ）である。
【００５７】
ＦＡＸ通信部１１４は、外部の公衆電話回線１８２に接続され、画像形成装置１００が公衆電話回線１８２を介して外部装置とＦＡＸ通信するためのインターフェイスである。ＦＡＸ通信部１１４は、例えばＦＡＸモデムである。
【００５８】
原稿読取部１１０は、原稿を読取る（スキャンする）ためのＣＣＤ（Ｃｈａｒｇｅ−Ｃｏｕｐｌｅｄ  Ｄｅｖｉｃｅ：電荷結合素子）と、自動原稿送り装置（ＡＤＦ）とを備え、原稿を読取って画像データを生成する。画像データは画像メモリ（図示せず）に一時的に記憶される。画像処理部１２２は、画像データに対して、種々の画像処理を実行する。画像形成部１２０は、画像データに基づき、例えば、トナーにより記録紙上に画像を形成（印刷）する。画像形成用の記録紙は、給紙部１６０又は手差し給紙トレイ１６２から供給される。画像データは、必要に応じてＨＤＤ１０８に記憶される。
【００５９】
操作部１３０は、ユーザによる画像形成装置１００に対する指示等の入力を受付ける。タッチパネルディスプレイ１３２に表示される画像は、画面生成部１２４によって生成される。ユーザは、タッチパネルディスプレイ１３２に表示される画面によって、画像形成装置１００の状態及びジョブの処理状況等の確認を行なう。タッチパネルディスプレイ１３２に表示されたボタンを、表示パネルに重ねられたタッチパネル上で操作する（即ち、タッチパネル上の該当部分にタッチする）ことによって、そのボタンを選択することができる。これにより、画像形成装置１００の機能設定及び動作指示等ができる。
【００６０】
ＣＰＵ１０２は、操作部１３０に設けられたタッチパネルディスプレイ１３２の入力ボタン等に対するユーザの操作を監視すると共に、タッチパネルディスプレイ１３２に画像形成装置１００の状態に関する情報等のユーザに通知すべき情報等を表示する。
【００６１】
操作部１３０内に配置されたＮＦＣタグ部１４０は、ＣＰＵ１０２と、専用の伝送ライン１４２を介して通信する。伝送ライン１４２は、データを送受信するためのライン（例えば、Ｉ２Ｃのシリアル伝送ライン）と、割込みラインとを含む。
【００６２】
図４を参照して、ＮＦＣタグ部１４０は、ＮＦＣ制御部１４４、メモリ１４６及びアンテナ部１４８を備えている。アンテナ部１４８はコイルを含み、外部の電磁波により、コイルの両端に起電力（電圧）が発生する。アンテナ部１４８は、発生した電圧を、ＮＦＣ制御部１４４及びメモリ１４６を作動させるための適切な電圧に変換する回路を含む。また、アンテナ部１４８は、発生したアナログ電圧波形からデジタルデータを生成して、ＮＦＣ制御部１４４に供給する回路を含む。
【００６３】
メモリ１４６は、電気的に書換え可能な不揮発性の記憶装置であり、例えばＦｅＲＡＭ等である。ここでは、メモリ１４６の容量は小さく、メモリ１４６に書込まれるデータは上書きされるとする。ＮＦＣ制御部１４４は、ＮＦＣ通信可能な外部機器がＮＦＣタグ部１４０に接近し、ＮＦＣタグ部１４０から所定距離内に位置したことを検知すると、ＣＰＵ１０２に、伝送ライン１４２を介して割込み信号を伝送する。
【００６４】
図４を参照して、本実施の形態に係る携帯端末２００は、ＣＰＵ２０２、ＲＯＭ２０４、ＲＡＭ２０６、操作部２０８、通信Ｉ／Ｆ部２１０、ＮＦＣ部２１２、及びバス２１６を含む。各部間のデータ（制御情報を含む）交換は、バス２１６を介して行なわれる。
【００６５】
ＣＰＵ２０２は、携帯端末２００全体を制御する。ＲＯＭ２０４は、電気的に書換え可能な不揮発性の記憶装置であり、例えばフラッシュメモリ等である。ＲＯＭ２０４には、携帯端末２００の動作を制御するのに必要なプログラム及びデータ等が記憶されている。
【００６６】
ＣＰＵ２０２は、バス２１６を介してＲＯＭ２０４からプログラムをＲＡＭ２０６上に読出して、ＲＡＭ２０６の一部を作業領域としてプログラムを実行する。即ち、ＣＰＵ２０２はＲＯＭ２０４に格納されているプログラムにしたがって携帯端末２００を構成する各部の制御を行ない、携帯端末２００の各機能を実現する。
【００６７】
操作部２０８は、例えばタッチパネルディスプレイである。操作部２０８は、入力部及び表示部を含む。表示部は、画像を表示することができる装置であり、例えば液晶ディスプレイである。入力部は、表示部の表示面上に搭載され、ユーザのタッチ操作を検出するタッチパネルである。
【００６８】
通信Ｉ／Ｆ部２１０は、無線によりネットワークに接続するためのインターフェイスである。ＮＦＣ部２１２は、近距離無線通信を行なうための電磁波ＲＦを生成するＮＦＣモジュール（ＮＦＣリーダ／ライタ）である。携帯端末２００は、ＮＦＣ部２１２を介して、画像形成装置１００（タグ部１４０）とＮＦＣ通信を行なう。
【００６９】
ＣＰＵ２０２は、操作部２０８のタッチパネルディスプレイに操作画面を表示し、ユーザの操作を監視する。操作が検出されると、操作に応じた処理を行なう。
【００７０】
携帯端末２００は、電話機能（送話機能及び受話機能）を有していてもよい。電話機能を有していれば、ユーザは、携帯端末２００の操作部２０８に表示された画面を操作して電話番号を選択し、携帯端末２００に発呼させる。携帯端末２００が回線接続処理を実行し、回線が接続された後、ユーザは送話部及び受話部（何れも図示せず）を介して、通話することができる。
【００７１】
図５を参照して、ＮＦＣ通信を介して携帯端末２００により、画像形成装置１００を省エネ状態から復帰させ、条件を設定して所望の機能を画像形成装置１００に実行させる処理に関して説明する。図５において、携帯端末２００、ＮＦＣタグ部１４０、及び画像形成装置１００本体における処理を横方向に並列し、縦方向に時系列で示している。左端の縦列のＰ１、Ｐ４、Ｐ６及びＰ７は、携帯端末２００の処理を示している。中央の縦列のＰ２、Ｐ５、Ｐ８、Ｐ１０及びＰ１３は、ＮＦＣタグ部１４０の処理を示している。右端の縦列のＰ３、Ｐ９、Ｐ１１及びＰ１２は、画像形成装置１００本体の処理（ＣＰＵ１０２による処理）を示している。携帯端末２００、ＮＦＣタグ部１４０、及び画像形成装置１００本体の処理の関連性は、左右方向の矢印で示されている。
【００７２】
携帯端末２００は、ユーザによる操作を受けて所定のアプリを起動し、ＮＦＣ部２１２によりＮＦＣ通信を開始する（Ｐ１）。具体的には、ユーザが携帯端末２００をＮＦＣタグ部１４０にかざす（携帯端末２００はＮＦＣタグ部１４０に接近する）。
【００７３】
ＮＦＣタグ部１４０は、ＮＦＣ部２１２が生成した電磁波ＲＦによる無線電力により起動する（Ｐ２）。即ち、電磁波ＲＦによりＮＦＣタグ部１４０のアンテナ部１４８に起電力が発生し、それにより、ＮＦＣ制御部１４４が動作可能になる。ＮＦＣ制御部１４４は、携帯端末２００（ホスト）のスレーブとして機能し、伝送ライン１４２を介して、画像形成装置１００のＣＰＵ１０２に割込み要求ＩＲＱを出力する（例えば、通常ハイレベルに設定されている割込みラインを、ローレベルに設定する）。
【００７４】
画像形成装置１００のＣＰＵ１０２は、割込み要求ＩＲＱを検出すると、省エネ状態からの復帰処理を開始する（Ｐ３）。
【００７５】
画像形成装置１００が省エネ状態から復帰中に、携帯端末２００は、ＮＦＣタグ部１４０に対して読出しコマンドＲＥＡＤを送信する（Ｐ４）。これに対して、ＮＦＣタグ部１４０は、メモリ１４６に記憶されているデータＤ０を送信する（Ｐ５）。データＤ０は、後述するように、画像形成装置１００のＣＰＵ１０２により予め書込まれた起動用データ（携帯端末２００が画像形成装置１００の設定可能な機能を特定するための情報）である。携帯端末２００は、受信したデータＤ０を解析する。
【００７６】
携帯端末２００は、解析結果に応じたアプリを起動し、操作画面を表示し、ユーザの操作を待受ける（Ｐ６）。表示される操作画面は、受信した起動用データにより特定された画像形成装置１００に関して設定可能な機能を設定するための画面である。
【００７７】
ユーザにより携帯端末２００が操作され、設定が確定されると、携帯端末２００は、決定された設定に対応するデータＤ１と、書込みコマンドＷＲＩＴＥとをＮＦＣタグ部１４０に送信する（Ｐ７）。
【００７８】
ＮＦＣタグ部１４０は、受信したデータＤ１をメモリ１４６に書込む（Ｐ８）。
【００７９】
画像形成装置１００は、省エネ状態から待機状態に復帰すると、ＮＦＣタグ部１４０に読出しコマンドＲＥＡＤを送信する（Ｐ９）。ＮＦＣタグ部は、読出しコマンドＲＥＡＤに対して、メモリ１４６に記憶されているデータＤ１を送信する（Ｐ１０）。その後、画像形成装置１００のＣＰＵ１０２は、受信したデータＤ１を解析する。
【００８０】
解析の結果、画像形成装置１００のＣＰＵ１０２は、実行すべき機能及びその条件を特定し、指示された機能を実行する（Ｐ１１）。これにより、画像形成装置１００は、ユーザが携帯端末２００を操作して設定した条件で、指示された機能（コピー機能、ＦＡＸ機能、プリンタ機能、電子メール機能、又はスキャナ機能）を実行する。
【００８１】
画像形成装置１００のＣＰＵ１０２は、指定された機能の実行が完了すれば、データ（起動用データ）Ｄ０と、書込みコマンドＷＲＩＴＥとをＮＦＣタグ部１４０に送信する（Ｐ１２）。
【００８２】
ＮＦＣタグ部１４０は、受信したデータＤ０をメモリ１４６に書込む（Ｐ１３）。
【００８３】
このようにして、ユーザは、携帯端末２００を操作し、条件を設定して画像形成装置１００に所定の機能を実行させることができる。このとき、携帯端末２００は、画像形成装置１００が省エネ状態からの復帰処理を実行している間に、ＮＦＣタグ部１４０から、予め画像形成装置１００により書込まれた起動用データを読出し、画像形成装置１００に応じた操作画面を表示することができる。したがって、ユーザは、携帯端末２００をＮＦＣタグ部１４０にかざしてから、速やかに、携帯端末２００に表示された画面を操作して、画像形成装置１００に実行させたい機能、及びその条件を設定することができる。
【００８４】
画像形成装置１００は、指定された機能が完了すれば、ＮＦＣタグ部１４０のメモリ１４６に起動用データを書込むので、次回ユーザが、省エネ状態にある画像形成装置１００を操作する場合、速やかに、画像形成装置１００に実行させたい機能及びその条件を設定できることが確実になる。
【００８５】
以下、携帯端末２００、ＮＦＣタグ部１４０及び画像形成装置１００において実行される処理をより詳細に説明する。図６に示す、携帯端末２００により実行されるプログラムは、携帯端末２００の電源がオンされることにより実行される。
【００８６】
ステップ３００において、ＣＰＵ２０２は、操作部２０８が操作されたか否かを判定する。操作されたと判定された場合、制御はステップ３０２に移行する。そうでなければ、ステップ３００が繰返される。
【００８７】
ステップ３０２において、ＣＰＵ２０２は、ステップ３００で検出された操作が、画像形成装置１００を操作する指示であるか否かを判定する。画像形成装置１００を操作する指示であると判定された場合、制御はステップ３０４に移行する。そうでなければ、制御はステップ３２２に移行する。
【００８８】
ステップ３０４において、ＣＰＵ２０２は、ＮＦＣタグ部１４０とのＮＦＣ通信を確立する。具体的には、ＣＰＵ２０２は、ＮＦＣ部２１２を制御して、電磁波ＲＦを生成する（図５のＰ１）。これにより、ＮＦＣタグ部１４０は無線電力により起動し、携帯端末２００は、ＮＦＣタグ部１４０とＮＦＣ通信が可能になる。また、ＣＰＵ２０２は、ＮＦＣ部２１２を介して、ＮＦＣタグ部１４０をスレーブとして機能させるためのコマンドを送信する。
【００８９】
ステップ３０６において、ＣＰＵ２０２は、ＮＦＣタグ部１４０からデータを読出す（図５のＰ４）。具体的には、ＣＰＵ２０２は、ＮＦＣタグ部１４０に対して読出しコマンドＲＥＡＤを送信し、ＮＦＣタグ部１４０から送信されるデータＤ０を受信する。
【００９０】
ステップ３０８において、ＣＰＵ２０２は、ステップ３０６で取得したデータＤ０を解析する（図５のＰ４）。データＤ０は起動用データである。ＣＰＵ２０２は、データＤ０を解析することにより、画像形成装置１００に対して実行させることができる機能、及び各機能を実行させるときに設定できる条件を特定する。例えば、起動用データは、画像形成装置１００の機種情報（例えば製品番号）及び拡張機能（ステープル処理、パンチ処理等）の有無を表す情報である。ＣＰＵ２０２は、ＲＯＭ２０４のデータベースを参照して、設定可能な項目を特定することができる。データベースは、機種情報及び拡張機能と、設定可能な項目とを対応させて予め記憶したデータである。
【００９１】
ステップ３１０において、ＣＰＵ２０２は、ステップ３０８の解析結果に応じた操作画面を表示する。例えば、携帯端末２００の操作部２０８（タッチパネルディスプレイ）には、図７に示すような画面２２０が表示される。領域２２２には、アプリのタイトルが表示され、領域２２４には、画像形成装置１００に実行させることができる機能を示すテキスト情報が表示されている。画像形成装置１００は、コピー機能、ＦＡＸ機能、電子メール機能、及びスキャナ機能を備えたＭＦＰであるので、それらにより実現可能な機能が表示されている。
【００９２】
ユーザが、領域２２４の各機能が表示された領域にタッチすれば、各機能の設定画面が表示される。各機能の設定画面は、ステップ３０８で特定された、各機能に関して設定可能な項目が表示される。
【００９３】
領域２２６には、携帯端末２００の画面を切換える指示を入力するためのボタンが表示されている。ボタン２２８は、表示されているアプリを終了して、ホーム画面（待機画面）に戻すためのボタンである。ボタン２３０は、現在の画面を、１つ前の画面（現在の画面が表示される直前の画面）に戻すためのボタンである。
【００９４】
ステップ３１２において、ＣＰＵ２０２は、操作部２０８が操作されたか否かを判定する。操作されたと判定された場合、制御はステップ３１４に移行する。そうでなければ、ステップ３１２が繰返される。
【００９５】
ステップ３１４において、ＣＰＵ２０２は、入力された設定の決定が指示されたか否かを判定する。決定が指示されたと判定された場合、制御はステップ３１６に移行する。そうでなければ、制御はステップ３１８に移行する。決定の指示は、例えば、領域２２２に表示された各機能が選択されて表示された設定画面において、ＯＫボタンがタッチされることにより成される。
【００９６】
ステップ３１６において、ＣＰＵ２０２は、設定された情報（以下、設定情報ともいう）を含むデータＤ１をＮＦＣタグ部１４０に書込む（図５のＰ７）。設定情報は、画像形成装置１００に実行させる機能を特定するための情報と、その機能を実行するときの条件を含む。画像形成装置１００は、設定情報をＮＦＣタグ部１４０から読出して、実行する機能を決定することができる（図５のＰ９〜Ｐ１１）。
【００９７】
ステップ３１８において、ＣＰＵ２０２は、終了の指示が成されたか否かを判定する。終了の指示が成されたと判定された場合、制御はステップ３００に戻る。そうでなければ、制御はステップ３２０に移行する。終了の指示は、例えば、ボタン２２８がタッチされることにより成される。
【００９８】
ステップ３２０において、ＣＰＵ２０２は、ステップ３１２で検出された操作に対応する処理を実行する。その後、制御はステップ３１２に戻る。例えば、領域２２４の機能がタッチされると、ＣＰＵ２０２は、選択された機能の条件を設定するための画面を表示する。また、条件を設定する画面において、設定が成されると、ＣＰＵ２０２はそれに応じた画面を表示する。
【００９９】
ステップ３１２、ステップ３１４、ステップ３１８及びステップ３２０が繰返されることによりにより、機能の選択及びその条件が設定される。その後、ステップ３１６が実行されると、設定された情報がＮＦＣタグ部１４０に書込まれる。
【０１００】
ステップ３０２で、画像形成装置１００を操作する指示でないと判定された場合、ステップ３２２において、ＣＰＵ２０２は、ステップ３０２で検出された操作に対応する処理を実行する。その後、制御はステップ３００に戻る。これにより、画像形成装置１００を操作する機能以外の、携帯端末２００の機能が実行される。
【０１０１】
図８に示す、ＮＦＣタグ部１４０により実行されるプログラムは、ＮＦＣタグ部１４０が無線電力により動作可能になることにより実行される。
【０１０２】
ステップ４００において、ＮＦＣ制御部１４４は、携帯端末２００とのＮＦＣ通信を確立する。具体的には、ＮＦＣ制御部１４４は、携帯端末２００から受信したコマンド（図６のステップ３０４参照）に対して所定の応答を返す。これにより、ＮＦＣタグ部１４０は、携帯端末２００（ホスト）のスレーブとして機能する。
【０１０３】
ステップ４０２において、ＮＦＣ制御部１４４は、画像形成装置１００に割込み要求ＩＲＱを出力する。
【０１０４】
ステップ４０４において、ＮＦＣ制御部１４４は、携帯端末２００からＮＦＣ通信による要求（コマンド）を受信したが否かを判定する。受信したと判定された場合、制御はステップ４０６に移行する。そうでなければ、制御はステップ４１４に移行する。
【０１０５】
ステップ４０６において、ＮＦＣ制御部１４４は、受信したコマンドが読出しコマンドＲＥＡＤであるか否かを判定する。読出しコマンドＲＥＡＤであると判定された場合、制御はステップ４０８に移行する。そうでなければ、制御はステップ４１０に移行する。
【０１０６】
ステップ４０８において、ＮＦＣ制御部１４４は、メモリ１４６のデータを、アンテナ部１４８を介して携帯端末２００に送信する（図５のＰ５参照）。
【０１０７】
ステップ４１０において、ＮＦＣ制御部１４４は、受信したコマンドが書込みコマンドＷＲＩＴＥであるか否かを判定する。書込みコマンドＷＲＩＴＥであると判定された場合、制御はステップ４１２に移行する。そうでなければ、制御はステップ４１４に移行する。
【０１０８】
ステップ４１２において、ＮＦＣ制御部１４４は、携帯端末２００から受信したデータをメモリ１４６に記憶する（図５のＰ８参照）。
【０１０９】
ステップ４１４において、ＮＦＣ制御部１４４は、画像形成装置１００から伝送ライン１４２を介してコマンドを受信したが否かを判定する。受信したと判定された場合、制御はステップ４１６に移行する。そうでなければ、制御はステップ４０４に戻る。
【０１１０】
ステップ４１６において、ＮＦＣ制御部１４４は、受信したコマンドが読出しコマンドＲＥＡＤであるか否かを判定する。読出しコマンドＲＥＡＤであると判定された場合、制御はステップ４１８に移行する。そうでなければ、制御はステップ４２０に移行する。
【０１１１】
ステップ４１８において、ＮＦＣ制御部１４４は、メモリ１４６のデータを、伝送ライン１４２を介して画像形成装置１００のＣＰＵ１０２に送信する（図５のＰ１０参照）。
【０１１２】
ステップ４２０において、ＮＦＣ制御部１４４は、受信したコマンドが書込みコマンドＷＲＩＴＥであるか否かを判定する。書込みコマンドＷＲＩＴＥであると判定された場合、制御はステップ４２２に移行する。そうでなければ、制御はステップ４０４に戻る。
【０１１３】
ステップ４２２において、ＮＦＣ制御部１４４は、画像形成装置１００から受信したデータをメモリ１４６に記憶する（図５のＰ１３参照）。
【０１１４】
以上により、ＮＦＣタグ部１４０は、画像形成装置１００及び携帯端末２００からの要求に応じて、メモリ１４６に記憶されているデータを要求元に送信する、又は、受信したデータをメモリ１４６に記憶する。
【０１１５】
図９に示す、画像形成装置１００により実行されるプログラムは、省エネ状態にある画像形成装置１００が割込み要求ＩＲＱを受信することにより実行される。
【０１１６】
ステップ５００において、ＣＰＵ１０２は、省エネ状態からの復帰処理を実行する（図５のＰ３）。具体的には、電力供給を停止又は制限していた部分への電力供給を開始する。例えば、タッチパネルディスプレイ１３２をオンして操作画面を表示する。また、画像形成部１２０の定着部を、記録紙への画像形成に必要な温度にするために、ヒータの電流値を所定値まで増大させる。
【０１１７】
ステップ５０２において、ＣＰＵ１０２は、ＮＦＣタグ部１４０のメモリ１４６に記憶されているデータを読出す。具体的には、ＣＰＵ１０２は、ＮＦＣタグ部１４０に読出しコマンドＲＥＡＤを送信し、ＮＦＣタグ部１４０からデータを受信する（図５のＰ９）。
【０１１８】
ステップ５０４において、ＣＰＵ１０２は、ステップ５０２で受信したデータを解析する。このデータは、携帯端末２００によりＮＦＣタグ部１４０のメモリ１４６に書込まれたデータ（設定情報）である（図６のステップ３１６参照）。
【０１１９】
ステップ５０６において、ＣＰＵ１０２は、ステップ５０４での解析結果に応じた処理を開始する。
【０１２０】
ステップ５０８において、ＣＰＵ１０２は、ステップ５０６で開始した処理が完了したか否かを判定する。完了したと判定された場合、制御はステップ５１０に移行する。そうでなければ、ステップ５０８が繰返される。
【０１２１】
ステップ５１０において、ＣＰＵ１０２は、所定データをＮＦＣタグ部１４０のメモリ１４６に記憶する。具体的には、ＣＰＵ１０２は、ＮＦＣタグ部１４０に、書込みコマンドＷＲＩＴＥ及び所定データＤ０を送信する（図５のＰ１２）。所定データＤ０は、上記した起動用データである。
【０１２２】
以上により、画像形成装置１００は、携帯端末２００が操作されて入力された設定情報を受信し、指示された条件で指示された機能を実行することができる。また、画像形成装置１００は、指示された処理が完了すれば、起動用データをＮＦＣタグ部１４０のメモリ１４６に書込ませるので、次回も携帯端末２００は、画像形成装置１００に応じた操作画面を表示することができる。
【０１２３】
上記では、画像形成装置１００が省エネ状態にあるときに、携帯端末２００から操作する場合を説明したが、これに限定されない。画像形成装置１００が待機状態であってもよい。その場合には、画像形成装置１００において省エネ状態から復帰する処理が行なわれないだけで、同様の順序で処理が実行される。
【０１２４】
（第２の実施の形態）
第１の実施の形態では、携帯端末は、ＮＦＣタグ部とのＮＦＣ通信が可能になると、最初にＮＦＣタグ部のメモリに記憶されているデータを読出し、取得したデータに応じた操作画面を表示した。第２の実施の形態では、携帯端末は、ユーザの指示によっては、ＮＦＣタグ部とのＮＦＣ通信が可能になると、最初にＮＦＣタグ部のメモリに所定データを書込む。
【０１２５】
第２の実施の形態に係るシステムは、画像形成装置及び携帯端末を含む。携帯端末及び画像形成装置（タグ部を含む）の構成は、第１の実施の形態と同様に構成されている。したがって、適宜図２〜図４の参照符号を引用する。
【０１２６】
本実施の形態においては、携帯端末は、サービスマン等により操作され、ＮＦＣ通信を介して、画像形成装置を省エネ状態から復帰させた後、画像形成装置にメンテナンスを実行させる。
【０１２７】
本実施の形態においては、画像形成装置１００及びＮＦＣタグ部１４０は、第１の実施の形態と同じプログラム（図９及び図８参照）を実行する。一方、携帯端末２００は、図６と異なり、図１０に示すプログラムを実行する。図１０が図６と異なる点は、ステップ３４０及び３４２が追加されていることだけである。図１０及び図６において、同じ参照番号のステップにおいては同じ処理が実行される。
【０１２８】
図１０に示す、携帯端末２００により実行されるプログラムは、携帯端末２００の電源がオンされることにより実行される。画像形成装置１００は省エネ状態にあるとする。
【０１２９】
ステップ３００〜３０４が実行され、画像形成装置１００が省エネ状態からの復帰処理を開始する（図９のステップ５００参照）。ユーザ（サービスマン等）の操作により画像形成装置１００を操作する指示を受付けた場合、ステップ３４０において、ＣＰＵ２０２は、ステップ３００で検出された操作が、画像形成装置１００のメンテナンスの指示であるか否かを判定する。メンテナンスの指示であると判定された場合、制御はステップ３４２に移行する。そうでなければ、制御はステップ３０６に移行する。
【０１３０】
ステップ３４２において、ＣＰＵ２０２は、ＲＯＭ２０４から所定データを読出し、設定情報としてＲＡＭ２０６に記憶する。所定データは、画像形成装置１００にメンテナンスの実行を指示するデータである。
【０１３１】
ステップ３１６において、ＣＰＵ２０２は、ステップ３４２でＲＡＭ２０６に記憶された設定情報を含むデータを、ＮＦＣタグ部１４０に書込む。その後、制御はステップ３００に戻る。これにより、省エネ状態から復帰した画像形成装置１００は、ＮＦＣタグ部１４０からデータを読出して解析し、設定情報により指示されたメンテナンスを特定し、実行することができる（図９のステップ５０２〜５０６参照）。
【０１３２】
なお、メンテナンス以外の指示であれば、第１の実施の形態と同様に、ステップ３０６〜ステップ３２０が実行される。画像形成装置１００に所定の機能を実行させる指示であれば、そのための設定情報が、ＮＦＣタグ部１４０に書込まれる。画像形成装置１００は、ＮＦＣタグ部１４０から設定情報を読出して、指定された機能を特定して実行することができる。
【０１３３】
携帯端末２００を操作して画像形成装置１００にメンテナンスを実行させる場合（図１０のステップ３４０の判定結果がＹＥＳ）の携帯端末２００、ＮＦＣタグ部１４０及び画像形成装置１００のシーケンス図を、図１１に示す。図１１においては、図５と同様に、携帯端末２００、ＮＦＣタグ部１４０、及び画像形成装置１００本体における処理を横方向に並列し、縦方向に時系列で示している。携帯端末２００、ＮＦＣタグ部１４０、及び画像形成装置１００本体の処理の関連性は、左右方向の矢印で示されている。
【０１３４】
図１１が図５と異なる点は、Ｐ４〜Ｐ７の処理が削除され、Ｐ２０の処理が追加され、Ｐ１１の処理がＰ２１の処理で代替されていることだけである。図１１及び図５において、同じ参照符号の処理は同じである。
【０１３５】
ユーザにより操作されて携帯端末２００は、所定のアプリを起動し、ＮＦＣ部２１２によりＮＦＣ通信を開始する（Ｐ１）。このとき、ユーザによりメンテナンスが指示される。ユーザにより携帯端末２００は、ＮＦＣタグ部１４０にかざされる。これにより、ＮＦＣタグ部１４０は、ＮＦＣ部２１２により発生した電磁波による無線電力により起動し（Ｐ２）、画像形成装置１００のＣＰＵ１０２に割込み要求ＩＲＱを送信する。画像形成装置１００のＣＰＵ１０２は、割込み要求ＩＲＱを検出すると、省エネ状態からの復帰処理を開始する（Ｐ３）。
【０１３６】
画像形成装置１００のメンテナンスが指示されているので、画像形成装置１００が省エネ状態から復帰中に、携帯端末２００は、データＤ１０（メンテナンス用の設定情報）と、書込みコマンドＷＲＩＴＥとをＮＦＣタグ部１４０に送信する（Ｐ２０）。ＮＦＣタグ部１４０は、受信したデータＤ１０をメモリ１４６に書込む（Ｐ８）。
【０１３７】
画像形成装置１００のＣＰＵ１０２は、省エネ状態から待機状態に復帰すると、ＮＦＣタグ部１４０に読出しコマンドＲＥＡＤを送信する（Ｐ９）。ＮＦＣタグ部は、メモリ１４６に記憶されているデータＤ１０を送信する（Ｐ１０）。画像形成装置１００のＣＰＵ１０２は、受信したデータＤ１０を解析する。
【０１３８】
解析の結果、画像形成装置１００のＣＰＵ１０２は、実行すべき機能としてメンテナンスを特定し、メンテナンスを実行する（Ｐ２１）。実行されるメンテナンスに関する情報は、予め画像形成装置１００のＨＤＤ１０８に記憶されている。画像形成装置１００のＣＰＵ１０２は、必要な情報をＨＤＤ１０８から読出し、メンテナンスを実行する。
【０１３９】
その後、画像形成装置１００のＣＰＵ１０２は、メンテナンスが完了すれば、データＤ０（起動用データ）と、書込みコマンドＷＲＩＴＥとをＮＦＣタグ部１４０に送信する（Ｐ１２）。ＮＦＣタグ部１４０は、受信したデータＤ０をメモリ１４６に書込む（Ｐ１３）。
【０１４０】
このようにして、ユーザは、携帯端末２００を操作し、画像形成装置１００にメンテナンスを実行させることができる。このとき、携帯端末２００は、画像形成装置１００が省エネ状態からの復帰処理を実行している間に、ＮＦＣタグ部１４０に、メンテナンスを指示するデータを書込むので、画像形成装置１００は、省エネ状態から復帰すると速やかにメンテナンスを実行することができる。画像形成装置１００は、メンテナンスが完了すれば、ＮＦＣタグ部１４０のメモリ１４６に起動用データを書込むので、次回ユーザが、省エネ状態にある画像形成装置１００を携帯端末により操作する場合、ユーザは、速やかに、画像形成装置１００に実行させたい機能及びその条件の設定を行なうことができる。
【０１４１】
上記では、画像形成装置１００が省エネ状態にあるときに、携帯端末２００からメンテナンスを指示する場合を説明したが、これに限定されない。画像形成装置１００が待機状態であってもよい。その場合には、画像形成装置１００において省エネ状態から復帰する処理が行なわれないだけで、同様の順序で処理が実行される。即ち、携帯端末２００がＮＦＣタグ部１４０に書込んだメンテナンスの実行を指示するデータを、画像形成装置１００が読出して解析し、指示された処理（メンテナンス）を特定して実行する。
【０１４２】
上記では、画像形成装置１００にメンテナンスを実行させる場合を説明したが、これに限定されない。画像形成装置１００に、予め設定された処理を実行させる場合には、携帯端末２００は、ＮＦＣタグ部１４０とのＮＦＣ通信を確立した後、最初に所定データ（実行させたい処理を特定するためのデータ）をＮＦＣタグ部１４０に書込めばよい。
【０１４３】
上記では、メンテナンス内容が予め設定されている場合を説明したが、これに限定されない。ユーザが携帯端末２００を操作して、メンテナンス内容を設定できるようにしてもよい。画像形成装置１００の機種及び拡張機能に応じてメンテナンス内容が異なる場合には、第１の実施の形態と同様に、携帯端末２００は、最初にＮＦＣタグ部１４０のメモリ１４６から起動用データを読出し、画像形成装置１００の情報を取得すればよい。携帯端末２００に表示される操作画面には、メンテナンスに関する設定を行なうためのボタンを表示すればよい。
【０１４４】
（第３の実施の形態）
ＮＦＣ通信機能を備えた画像形成装置においては、ＮＦＣ通信機能を備えた携帯端末から、ＮＦＣタグ部のメモリに種々のデータが書込まれ得る。画像形成装置がＮＦＣタグ部のメモリに書込んだ起動用データが、別のデータに書換えられてしまうと、携帯端末は、操作したい画像形成装置の情報を取得することができないので、携帯端末は、適切な操作画面を表示することができない。この問題を解決するために、第３の実施の形態においては、画像形成装置は、ＮＦＣタグ部から取得したデータが有効なデータでなければ、再度起動用データをＮＦＣタグ部に書込む。
【０１４５】
第３の実施の形態に係る画像形成システムは、画像形成装置及び携帯端末を含む。本実施の形態においては、携帯端末、画像形成装置及びそのタグ部の構成は、第１の実施の形態と同様に構成されている。したがって、適宜図２〜図４の参照符号を引用する。
【０１４６】
本実施の形態においては、ＮＦＣタグ部１４０は、第１の実施の形態と同じプログラム（図８参照）を実行する。携帯端末２００は、図６と異なり、図１２に示すプログラムを実行する。図１２が図６と異なる点は、ステップ３６０及びステップ３６２が追加されていることだけである。画像形成装置１００は、図９と異なり、図１３に示すプログラムを実行する。図１３が図９と異なる点は、ステップ５２０が追加されていることだけである。図１２、図１３、図６及び図９において、同じ参照番号のステップにおいては同じ処理が実行される。
【０１４７】
図１２に示す、携帯端末２００により実行されるプログラムは、携帯端末２００の電源がオンされることにより実行される。画像形成装置１００は省エネ状態にあるとする。
【０１４８】
ステップ３００及び３０２が実行され、ユーザの操作により画像形成装置１００を操作する指示を受付けた場合（ステップ３０２の判定結果がＹＥＳ）、ステップ３０４及び３０６が実行され、携帯端末２００は、ＮＦＣタグ部１４０のメモリ１４６に記憶されているデータを取得する。ステップ３０４に起因して、画像形成装置１００は、省エネ状態からの復帰処理を開始する（図８のステップ４０２及び図９のステップ５００参照）。
【０１４９】
ステップ３６０において、ＣＰＵ２０２は、ステップ３０６で取得したデータが、携帯端末２００にとって有効なデータであるか否かを判定する。有効なデータと判定された場合、制御はステップ３０８に移行する。そうでなければ、制御はステップ３６２に移行する。ここで、携帯端末２００にとって有効なデータとは、画像形成装置１００の機種情報（例えば製品番号）及び拡張機能の有無を表す情報等の、画像形成装置１００に実行させる機能及びその条件を設定するための操作画面の生成に利用されるデータを意味する。
【０１５０】
ステップ３６２において、ＣＰＵ２０２は、所定のエラーメッセージ（例えば、設定画面を表示できない旨のメッセージ、又は操作のやり直しを指示するメッセージ）を操作部２０８に表示する。その後、制御はステップ３００に戻る。
【０１５１】
一方、有効なデータであれば、第１の実施の形態と同様に、ステップ３０８〜３２０が実行される。
【０１５２】
図１３に示す画像形成装置１００により実行されるプログラムは、省エネ状態にある画像形成装置１００が割込み要求ＩＲＱを受信することにより実行される。
【０１５３】
ステップ５００〜５０４が実行され、ＣＰＵ１０２は、省エネ状態から復帰した後、ＮＦＣタグ部１４０からメモリ１４６のデータを取得し、解析を行なう。
【０１５４】
ステップ５２０において、ＣＰＵ１０２は、ステップ５０４での解析結果に基づき、ステップ５０２で取得したデータが、画像形成装置１００にとって有効なデータであるか否かを判定する。有効なデータであると判定された場合、制御はステップ５０６に移行する。そうでなければ、制御はステップ５１０に移行する。ここで、画像形成装置１００にとって有効なデータとは、画像形成装置１００の機能及びその機能を実行するときの条件を特定することができるデータを意味する。
【０１５５】
その後、第１の実施の形態と同様に、ステップ５０６〜５１０が実行される。
【０１５６】
このように、ＮＦＣタグ部１４０のメモリ１４６に有効なデータが記憶されていなければ、画像形成装置１００は、再度ＮＦＣタグ部１４０に起動用データを書込む。携帯端末２００にはエラーが表示されるので、ユーザが、再度携帯端末２００を操作すれば、携帯端末２００は、画像形成装置１００が書込んだ起動用データをＮＦＣタグ部１４０から読出し、画像形成装置１００の情報を取得することができる。したがって、ＮＦＣタグ部１４０のメモリ１４６に記憶されていた起動用データが別のデータに上書きされていても、携帯端末２００に画像形成装置１００に応じた操作画面を表示することができ、ユーザは、画像形成装置１００に実行させたい機能及びその条件を設定し、画像形成装置１００に実行させることができる。
【０１５７】
また、ＮＦＣ通信が開始された後、何らかの原因で正常にＮＦＣ通信できなくなれば（例えば、携帯端末２００がＮＦＣタグ部１４０から遠ざかった場合、ノイズ等によるエラーが発生した場合等）、携帯端末２００からＮＦＣタグ部１４０のメモリに、画像形成装置１００を操作するための適切なデータを記憶させることができない。そのような場合にも、ステップ５２０の判定結果がＮＯとなり、ステップ５１０によりＮＦＣタグ部１４０に起動用データが書込まれる。
【０１５８】
上記の第１〜第３の実施の形態では、ＮＦＣタグ部１４０が、携帯端末２００が生成させた電磁波による無線電力により動作する場合を説明したが、これに限定されない。画像形成装置１００の電源部から、ＮＦＣタグ部１４０に、動作に必要な電力を供給してもよい。その場合、画像形成装置１００が省エネ状態にある場合にもＮＦＣタグ部１４０には電力が供給され、画像形成装置１００の省エネ状態における消費電力は若干増大するが、携帯端末がＮＦＣタグ部にかざされたときのユーザの待ち時間は、従来よりも短縮される。
【０１５９】
以上、実施の形態を説明することにより本発明を説明したが、上記した実施の形態は例示であって、本発明は上記した実施の形態に限定されるものではなく、種々変更して実施することができる。
【符号の説明】
【０１６０】
１００    画像形成装置
１０２    制御部（ＣＰＵ）
１０４    ＲＯＭ
１０６    ＲＡＭ
１０８    ＨＤＤ
１１０    原稿読取部
１１２    ネットワークＩ／Ｆ
１１４    ＦＡＸ通信部
１１６    バス
１２０    画像形成部
１２２    画像処理部
１２４    画面生成部
１３０    操作部
１３２    タッチパネルディスプレイ
１３４    操作キー部
１４０    ＮＦＣタグ部
１４２    伝送ライン
１４４    ＮＦＣ制御部
１４６    メモリ
１４８    アンテナ部
１６０    給紙部
１６２    手差し給紙トレイ
１６４    排紙処理部
１８０    ネットワーク
１８２    公衆電話回線
２００    携帯端末
２０２    ＣＰＵ
２０４    ＲＯＭ
２０６    ＲＡＭ
２０８    操作部
２１０    通信Ｉ／Ｆ部
２１２    ＮＦＣ部
２１６    バス
【図１】
0006568397.tif 000002
【図２】
0006568397.tif 000003
【図３】
0006568397.tif 000004
【図４】
0006568397.tif 000005
【図５】
0006568397.tif 000006
【図６】
0006568397.tif 000007
【図７】
0006568397.tif 000008
【図８】
0006568397.tif 000009
【図９】
0006568397.tif 000010
【図１０】
0006568397.tif 000011
【図１１】
0006568397.tif 000012
【図１２】
0006568397.tif 000013
【図１３】
0006568397.tif 000014